(57)【特許請求の範囲】
【請求項１】
車両に搭載され、
前記車両の周辺を撮像する車載カメラと、
画像を表示する表示器と、
前記車載カメラで撮像した画像を前記表示器に表示させる表示制御手段と、を備えている車両周辺監視装置であって、
前記表示器に表示される画像の画面上での位置を当該画像のピッチ方向、ヨー方向、およびロール方向のうちの少なくともピッチ方向とヨー方向とのいずれかにずらす修正方向および修正量を指定するユーザからの入力を受け付ける修正指定受け付け手段と、
前記修正指定受け付け手段で受け付けた修正方向および修正量に応じて前記車載カメラで撮像した画像を変換するための補正値を設定する補正値設定手段と、を備え、
前記補正値設定手段は、前記修正指定受け付け手段で受け付けた修正方向および修正量に応じた分だけ前記車載カメラで撮像した撮像範囲の画像を切り取る補正値、およびその切り取った残りの範囲の画像を元の大きさにリサイズする補正値を設定し、
前記表示制御手段は、前記補正値設定手段で前記補正値を設定した後は、前記車載カメラで撮像する画像を、その設定した補正値に従って切り取った上で前記リサイズする変換を行い、変換後の画像を前記表示器に表示させるとともに、当該リサイズによって画像が引き伸ばされるのに伴ってその引き伸ばされる方向に移動するマークを当該変換後の画像に重畳表示させることを特徴とする車両周辺監視装置。
【請求項２】
請求項１において、
前記表示制御手段は、前記修正指定受け付け手段で受け付けた修正方向および修正量に応じた前記補正値設定手段での補正値の設定が続いているときに、前記車載カメラで撮像した画像をその設定中の補正値に従って変換し、変換後の画像を前記表示器に表示させることを特徴とする車両周辺監視装置。
【請求項３】
請求項１または２において、
前記車両の前照灯が点灯していることを示すイルミネーション信号の入力を受け付ける信号受け付け手段と、
前記信号受け付け手段で前記イルミネーション信号の入力を受け付けていることをもとに、前記表示器に表示する画像の明るさを補正する明るさ補正手段と、を備えることを特徴とする車両周辺監視装置。
【発明の詳細な説明】
【技術分野】
【０００１】
本発明は、車両周辺監視装置に関するものである。
【背景技術】
【０００２】
従来から、車両の周辺の状況を撮像した画像を表示部に表示することによって、車両周辺の障害物の存在などをユーザに知らせる技術が知られている。例えば、特許文献１には、カメラによって車両周辺を撮像した周辺画像を俯瞰画像に変換して表示する駐車支援システムが開示されている。
【０００３】
しかしながら、特許文献１に開示の駐車支援システムでは、車両周辺を撮像するカメラが規定の取り付け位置および取り付け角度に正確に取り付けられなかった場合には、カメラの撮像方向が想定した方向からずれてしまい、本来の目的とする画像からずれた画像しか得られなくなってしまうという問題点があった。
【０００４】
また、カメラはボディに穴を開けて取り付ける必要がある場合などがあり、取り付け後に位置や角度の調整を行うことが困難なことも多い。特に、後付けタイプのものをユーザが取り付ける場合には正確に取り付けることは非常に困難であり、上記問題点が生じやすかった。
【０００５】
そこで、近年では、カメラの取り付け誤差を容易に補正するための技術が提案されている。例えば、特許文献２では、カメラの位置の誤差の補正を除く、カメラの向きのみの誤差を補正するためのルールが記載された誤差補正用テーブルを複数有し、その誤差補正用テーブルを用いて画素データを変換する技術が開示されている。
【０００６】
また、特許文献３では、車両の周囲に配設された校正指標を含むカメラ画像データに重畳されたマーカ線と当該校正指標とを重ね合わせるようにマーカ線の描画位置を変更させた時のマーカ線の移動量を、カメラモジュールの車両に対する取り付け向きの誤差として検出し、その移動量をもとにカメラ画像データを校正する技術が開示されている。
【０００７】
さらに、特許文献４では、補正用マークが撮像された画像データ上の当該補正用マークの位置と当該画像データ上の基準位置とに基づいて撮像方向のズレ量を算出し、そのズレ量に基づいて撮像方向のズレ角度を定量化する技術が開示されている。
【先行技術文献】
【特許文献】
【０００８】
【特許文献１】特開２００３−１２５３９４号公報
【特許文献２】特開２００７−６１７５号公報
【特許文献３】特開２００７−１５８６９５号公報
【特許文献４】特開平８−２７６７８７号公報
【発明の概要】
【発明が解決しようとする課題】
【０００９】
しかしながら、特許文献２〜４に開示の技術は、いずれもカメラの取り付け向きの違いによる画像のずれを補正するだけのものであるので、カメラの取り付け位置の違いによる画像のずれを抑えることできないという問題点を有していた。
【００１０】
詳しくは、特許文献２〜４に開示の技術では、カメラの取り付け向きの違いによる画像のずれを解消するように補正するので、カメラの取り付け位置自体がずれていた場合には、補正後の画像は撮像位置のずれの分だけずれることになる。
【００１１】
本発明は、上記従来の問題点に鑑みなされたものであって、その目的は、周辺監視用のカメラの取り付け向きの違いによる画像のずれを抑えるだけでなく、当該カメラの取り付け位置の違いによる画像のずれをより小さく抑えることを可能にする車両周辺監視装置を提供することにある。
【課題を解決するための手段】
【００１２】
請求項１の車両周辺監視装置によれば、修正指定受け付け手段でユーザから指定を受け付けた、表示器に表示される画像の画面上での位置を少なくともピッチ方向とヨー方向とのいずれかにずらす修正方向および修正量に応じて設定された補正値に従って、車載カメラで撮像する画像を変換し、表示器に表示される画像の画面上での位置を修正することになる。よって、修正指定受け付け手段への入力を通じて、表示器に表示される画像の画面上での位置を、画像のピッチ方向（つまり、上下方向）やヨー方向（つまり、左右方向）にユーザが所望するようにずらすことができる。従って、車載カメラの取り付け位置の違いによって生じる、表示器に表示される画像の画面上での上下方向や左右方向の位置のずれを小さく抑えるように修正を行うことが可能になる。
【００１３】
その結果、周辺監視用の車載カメラの取り付け向きの違いによる画像のずれを抑えるだけでなく、当該車載カメラの取り付け位置の違いによる画像のずれをより小さく抑えることが可能になる。
【００１６】
また、請求項２の構成によれば、補正値設定手段での補正値の設定が続いているときに、その設定中の補正値に従って変換した画像に当該変換の度合いを確認するための指標となるマークを重畳して表示器に表示させるので、表示器に表示される画像の画面上での位置をどの程度修正したかがユーザに判り易くなり、利便性が向上する。
【００１７】
また、請求項３の構成によれば、車両の前照灯が点灯していることを示すイルミネーション信号の入力を受け付けていることをもとに、表示器に表示する画像の明るさを補正するので、車両の前照灯を点灯させるような夜間や雨天等の車外および車内が暗い状況において、表示器の表示が眩しくなりすぎないように表示器に表示する画像の明るさを抑える補正をすることが可能となり、利便性を向上させることができる。
【図面の簡単な説明】
【００１８】
【図１】車両周辺監視装置１００の概略的な構成を示すブロック図である。
【図２】車両周辺監視装置１００の動作フローを示すフローチャートである。
【図３】画像ずれ修正設定処理のフローの一例を示すフローチャートである。
【図４】画像ずれ修正設定画面の一例を示す図である。
【図５】左右修正設定処理のフローの一例を示すフローチャートである。
【図６】カメラ１が規定の取り付け位置および取り付け角度に正確に取り付けられた場合の自車両後方周辺の画像の一例を示す模式図である。
【図７】（ａ）〜（ｄ）は、左右修正設定処理の一例を説明するための模式図である。
【図８】（ａ）〜（ｃ）は、左右修正設定処理の一例を説明するための模式図である。
【図９】上下修正設定処理のフローの一例を示すフローチャートである。
【図１０】（ａ）〜（ｄ）は、上下修正設定処理の一例を説明するための模式図である。
【図１１】回転修正設定処理のフローの一例を示すフローチャートである。
【図１２】（ａ）〜（ｄ）は、回転修正設定処理の一例を説明するための模式図である。
【図１３】画像変換前の自車両後方周辺の画像の一例を示す図である。
【図１４】左右画像補正値設定処理で設定された画像補正値に従った変換の一例を示す図である。
【図１５】上下画像補正値設定処理で設定された画像補正値に従った変換の一例を示す図である。
【図１６】回転画像補正値設定処理で設定された画像補正値に従った変換の一例を示す図である。
【発明を実施するための形態】
【００１９】
以下、本発明の実施形態について図面を用いて説明する。図１は、本発明が適用された車両周辺監視装置１００の概略的な構成を示すブロック図である。図１に示す車両周辺監視装置１は、車両に搭載されるものであり、カメラ１、Ａ／Ｄ変換部２、画像処理部３、表示器４、操作スイッチ群５、Ｉ／Ｏ処理部６、記憶部７、および制御部８を備えている。なお、車両周辺監視装置１００を搭載している車両を以降では自車両と呼ぶ。
【００２０】
カメラ１は、自車両の車体に取り付けられる車載カメラであって、例えば広角レンズによって撮像範囲が広角（例えば１８０度など）に設定された公知のＣＣＤカメラ等によって構成されている。なお、本実施形態では、一例として、カメラ１は自車両の車体後部に取り付けられ、自車両後方に所定角範囲で広がる領域を撮像するものとして説明を続ける。また、カメラ１が撮像した自車両後方周辺の画像のアナログ映像信号が、Ａ／Ｄ変換部２に供給される。なお、以下、カメラ１によって撮像された自車両後方周辺の画像を車両後方画像という。
【００２１】
Ａ／Ｄ変換部２は、カメラ１から供給されるアナログ映像信号をデジタル信号のデータに変換してデジタル映像を得る。なお、以降では、このデジタル映像を撮像画像と呼ぶものとする。また、Ａ／Ｄ変換部２は、得られた撮像画像を画像処理部３に供給する。
【００２２】
なお、本実施形態では、カメラ１が撮像した自車両後方周辺の画像のアナログ映像信号をＡ／Ｄ変換部２でデジタル信号のデータに変換する構成を示したが、必ずしもこれに限らない。例えば、カメラ１として、ＤＳＰ（digital signalprocessor）などの処理装置内蔵のカメラを用いることによって、カメラ１においてデジタル信号のデータを得て、画像処理部３に供給する構成としてもよい。
【００２３】
画像処理部３は、撮像画像に画像処理が必要な場合に、種々の画像処理を行って制御部８に供給する。画像処理部３で行う画像処理としては、例えば鏡像に変換する鏡像変換や広角レンズの特性で画像周辺部に生じる歪みを補正する高視野角歪み補正や鳥瞰画像に変換する鳥瞰変換等の画像処理がある。また、画像処理部３で行う画像処理としては、ピッチ方向、ヨー方向、およびロール方向の表示画像のずれの修正に関連する画像処理があるが、この画像処理については後に詳述する。
【００２４】
表示器４は、制御部８から出力される画像データに従った画像を逐次表示するものであり、自車両の車室内に設けられている。例えば表示器４は、フルカラー表示が可能なものであり、液晶ディスプレイ、有機ＥＬディスプレイ、プラズマディスプレイ等を用いて構成することができる。なお、表示器４としては、例えば、車載ナビゲーション装置に設けられたディスプレイを利用する構成としてもよいが、車載ナビゲーション装置のディスプレイとは別に、インストゥルメントパネル等に設けたディスプレイを用いる構成としてもよい。
【００２５】
操作スイッチ群５は、例えば表示器４と一体になったタッチスイッチもしくはメカニカルなスイッチ等が用いられ、スイッチ操作により制御部８へ各種機能の操作指示を行う。詳しくは、操作スイッチ群５から出力される上記操作指示の信号が、Ｉ／Ｏ処理部６を介して制御部８に入力されることにより、制御部８へ各種機能の操作指示が行われることになる。また、本実施形態では、操作スイッチ群５は、例えばユーザが自車両後方周辺の画像を表示器４に表示することを指示するために操作する表示切替スイッチを含んでいるものとする。なお、操作スイッチ群５が請求項の修正指定受け付け手段に相当する。
【００２６】
Ｉ／Ｏ処理部６は、制御部８への信号の入力を仲介する。例えば、Ｉ／Ｏ処理部６は、前述したように、操作スイッチ群５から入力されてくる操作指示の信号を仲介して制御部８に入力する。また、Ｉ／Ｏ処理部６は、図示しないシフトポジションセンサから例えば車内ＬＡＮを介して入力されてくるシフト位置が後退位置「Ｒ」にあることを示すリバース信号を仲介して制御部８に入力したり、図示しない前照灯スイッチから例えば車内ＬＡＮを介して入力されてくるイルミネーション信号（ＩＬＬ信号）を仲介して制御部８に入力したりする。
【００２７】
記憶部７は、例えばＲＡＭ等を有し、制御部８が画像処理部３から受け取った画像データ等を保存する。制御部８は、ＣＰＵ、ＲＯＭ、ＲＡＭ、バックアップＲＡＭ等よりなるマイクロコンピュータを主体として構成され、画像処理部３、Ｉ／Ｏ処理部６、記憶部７から入力された各種情報に基づき、ＲＯＭに記憶された各種の制御プログラムを実行することで、表示器４での画像表示に関する処理や表示画像の画面上での位置（以下、表示位置）の修正方向および修正量の設定に関する処理などの各種の処理を実行する。なお、制御部８が請求項の表示制御手段および補正値設定手段に相当する。
【００２８】
ここで、図２を用いて、車両周辺監視装置１００の動作フローについての説明を行う。なお、図２は、車両周辺監視装置１００の動作フローを示すフローチャートである。本フローは、例えば自車両のアクセサリ電源がオンされ、車両周辺監視装置１００の電源がオンになったときに開始される。なお、図２のフローは、表示切替スイッチがオフされたときやアクセサリ電源がオフになったときなどに終了する構成とすればよい。
【００２９】
まず、ステップＳ１では、シフト位置が後退位置「Ｒ」であるか否かを制御部８が判定する。シフト位置が後退位置「Ｒ」であるか否かの判定については、Ｉ／Ｏ処理部６から制御部８にリバース信号が入力されている場合に肯定判定し、Ｉ／Ｏ処理部６から制御部８にリバース信号が入力されていない場合には否定判定する構成とすればよい。そして、シフト位置が「Ｒ」と判定した場合（ステップＳ１でＹＥＳ）には、ステップＳ３に移る。また、シフト位置が「Ｒ」と判定しなかった場合（ステップＳ１でＮＯ）には、ステップＳ２に移る。
【００３０】
ステップＳ２では、前述の表示切替スイッチがオンになったか否かを制御部８が判定する。表示切替スイッチがオンになったか否かについては、Ｉ／Ｏ処理部６から制御部８に表示切替スイッチがオンになったことを示す信号が入力された場合に肯定判定し、その信号が入力されていない場合には否定判定する構成とすればよい。そして、表示切替スイッチがオンになったと判定した場合（ステップＳ２でＹＥＳ）には、ステップＳ３に移る。また、表示切替スイッチがオンになったと判定しなかった場合（ステップＳ２でＮＯ）には、ステップＳ１に戻ってフローを繰り返す。
【００３１】
ステップＳ３では、表示位置の修正方向および修正量を規定する画像補正値が設定済みか否かを制御部８が判定する。画像補正値が設定済みか否かについては、例えば記憶部７に画像補正値が記憶されているか否かに応じて判定する構成とすればよい。そして、画像補正値が設定済みと判定した場合（ステップＳ３でＹＥＳ）には、ステップＳ４に移る。また、画像補正値が設定済みと判定しなかった場合（ステップＳ３でＮＯ）には、ステップＳ５に移る。
【００３２】
なお、本実施形態では、画像補正値が記憶部７に記憶される構成を示したが、必ずしもこれに限らない。例えば画像補正値が制御部８のＥＥＰＲＯＭ等の書き込み可能な不揮発性メモリに記憶される構成としてもよい。この場合には、制御部８の不揮発性メモリに画像補正値が記憶されているか否かに応じて、画像補正値が設定済みか否かを制御部８が判定する構成とすればよい。
【００３３】
ステップＳ４では、設定済みの画像補正値を制御部８が記憶部７から読み出して画像処理部３に出力し、画像処理部３が撮像画像に対してその画像補正値に従った変換を含む画像処理を行う。そして、画像処理後の画像データを制御部８に出力して、ステップＳ６に移る。なお、ステップＳ４では、画像処理として、画像補正値に従った変換以外にも、例えば鏡像変換や高視野角歪み補正等を行う。
【００３４】
また、ステップＳ５では、画像処理部３が撮像画像に対して、画像補正値に従った変換以外の例えば鏡像変換や高視野角歪み補正等の画像処理を行い、画像処理後の画像データを制御部８に出力して、ステップＳ６に移る。
【００３５】
ステップＳ６では、前照灯が点灯されているか否かを制御部８が判定する。前照灯が点灯されているか否かの判定については、Ｉ／Ｏ処理部６から制御部８にＩＬＬ信号が入力されている場合に肯定判定し、Ｉ／Ｏ処理部６から制御部８にＩＬＬ信号が入力されていない場合には否定判定する構成とすればよい。そして、前照灯が点灯されていると判定した場合（ステップＳ６でＹＥＳ）には、ステップＳ７に移る。また、前照灯が点灯されていると判定しなかった場合（ステップＳ６でＮＯ）には、画像処理部３での画像処理後の画像データを制御部８に出力し、制御部８がその画像データを表示器４に出力してステップＳ８に移る。よって、制御部８が請求項の信号受け付け手段に相当する。
【００３６】
ステップＳ７では、制御部８が表示器４の画面の明るさを下げる補正をすることで表示器４に表示する画像の明るさを下げる補正をし、ステップＳ８に移る。よって、制御部８が請求項の明るさ補正手段に相当する。なお、明るさの下げ幅は、夜間や雨天等の車内が暗い状況において、表示器４での表示が眩しくなりすぎない程度の明るさとなるように予め設定される任意の値であるものとする。また、画像の明るさを抑える補正として、表示器４の画面の輝度（つまり、表示輝度）の設定値を下げる補正をする構成としてもよいし、表示器４の画面の明度の設定値を下げる補正を行う構成としてもよい。
【００３７】
これによれば、自車両の前照灯を点灯させるような夜間や雨天等の車外および車内が暗い状況において、表示器４の表示が眩しくなりすぎないように表示器４に表示する画像の明るさを抑え、利便性を向上させることができる。
【００３８】
ステップＳ８では、制御部８から出力された画像データに従った画像を表示器４が表示し、ステップＳ９に移る。ステップＳ９では、表示位置の修正の設定（以下、画像ずれ修正設定）を開始するか否かを制御部８が判断する。画像ずれ修正設定を開始するか否かの判断については、操作スイッチ群５で画像ずれ修正設定の開始を指示する入力を受け付けたことを示す信号が、Ｉ／Ｏ処理部６から制御部８に入力された場合に肯定判断し、入力されていない場合には否定判断する構成とすればよい。そして、画像ずれ修正設定を開始すると判断した場合（ステップＳ９でＹＥＳ）には、ステップＳ１０に移る。また、画像ずれ修正設定を開始すると判断しなかった場合（ステップＳ９でＮＯ）には、ステップＳ１に戻ってフローを繰り返す。
【００３９】
ステップＳ１０では、画像ずれ修正設定処理を行ってステップＳ１に戻ってフローを繰り返す。ここで、図３を用いて画像ずれ修正設定処理についての詳細な説明を行う。なお、図３は、画像ずれ修正設定処理のフローの一例を示すフローチャートである。
【００４０】
まず、ステップＳ１０１では、制御部８が画像ずれ修正設定画面を表示器４に表示させ、ステップＳ１０２に移る。画像ずれ修正設定画面は、図４に示すように、ヨー方向のずれ修正設定に移行するためのタッチスイッチの表示（図４中のＡ参照）、ピッチ方向のずれ修正設定に移行するためのタッチスイッチの表示（図４中のＢ参照）、ロール方向のずれ修正設定に移行するためのタッチスイッチの表示（図４中のＣ参照）、画像ずれ修正設定処理を終了するためのタッチスイッチの表示（図４中のＤ参照）を含んでいる。また、画像ずれ修正設定画面では、例えばこれらのタッチスイッチの表示が図４に示すように自車両後方周辺の画像に重畳される構成としてもよい。
【００４１】
なお、以降では、ヨー方向のずれ修正設定に移行するためのタッチスイッチを左右修正移行スイッチ、ピッチ方向のずれ修正を行うためのタッチスイッチを上下修正移行スイッチ、ロール方向のずれ修正を行うためのタッチスイッチを回転修正スイッチ、画像ずれ修正設定処理を終了するためのタッチスイッチをＥＸＩＴスイッチと呼ぶ。また、これらのタッチスイッチは、静電容量方式のものであってもよいし、感圧式のものであってもよい。
【００４２】
ステップＳ１０２では、左右修正移行スイッチがオンされたか否かを制御部８が判定する。左右修正移行スイッチが操作されたか否かについては、Ｉ／Ｏ処理部６から制御部８に左右修正移行スイッチがオンされたことを示す信号が入力された場合に肯定判定し、その信号が入力されていない場合には否定判定する構成とすればよい。
【００４３】
そして、左右修正移行スイッチがオンされたと判定した場合（ステップＳ１０２でＹＥＳ）には、ステップＳ１０３に移る。また、左右修正移行スイッチがオンされたと判定しなかった場合（ステップＳ１０２でＮＯ）には、ステップＳ１０４に移る。
【００４４】
ステップＳ１０３では、左右修正設定処理を行い、ステップＳ１０２に戻ってフローを繰り返す。ここで、図５を用いて左右修正設定処理についての詳細な説明を行う。なお、図５は、左右修正設定処理のフローの一例を示すフローチャートである。
【００４５】
まず、ステップＳ３０１では、制御部８が左右修正設定画面を表示器４に表示させ、ステップＳ３０２に移る。左右修正設定画面は、図７（ｂ）〜図７（ｄ）に示すように、画像の左右方向（つまり、ヨー方向）の表示位置を修正するためのタッチスイッチの表示（図中のＥ参照）を含んでいる。なお、以降では、左右方向の表示位置を修正するためのタッチスイッチを左右修正スイッチと呼ぶ。また、左右修正設定画面では、この左右修正スイッチの表示が図７（ｂ）〜図７（ｄ）に示すように自車両後方周辺の画像に重畳されるものとする。
【００４６】
この左右修正スイッチは、左方向に表示位置を修正するためのスイッチ（以下、左修正スイッチ）と右方向に表示位置を修正するためのスイッチ（以下、右修正スイッチ）とを含んでいる。また、それらのスイッチに対応するスイッチ表示は、例えば図７（ｂ）〜図７（ｄ）に示すような左向きの矢印および右向きの矢印とする。
【００４７】
ステップＳ３０２では、制御部８が、自車両後方周辺の画像の中央の位置に十字のマーク（以下、センター十字キャラクター）を重畳して表示器４に表示させ、ステップＳ３０３に移る。センター十字キャラクターは、例えば左右修正設定処理の開始前の自車両後方周辺の画像の中心に最初は表示されるものとし、図５のフローが終了するまでは、画像の表示位置の修正によってこの自車両後方周辺の画像の中心が画面中央から移動するのに伴って移動するものとする。
【００４８】
ステップＳ３０３では、表示画像の左右方向の表示位置を修正する操作（以下、左右ずれ修正操作）が行われたか否かを制御部８が判定する。左右ずれ修正操作が行われたか否かについては、Ｉ／Ｏ処理部６から制御部８に、左修正スイッチもしくは右修正スイッチがオンされたこと示す信号が入力されるとともに、その信号の入力が例えば３秒間の間において継続され続けなかった場合に肯定判定し、その信号が入力されていない場合や上記信号の入力が例えば３秒間の間において継続され続けた場合には否定判定する構成とすればよい。そして、左右ずれ修正操作が行われたと判定した場合（ステップＳ３０３でＹＥＳ）には、ステップＳ３０５に移る。また、左右ずれ修正操作が行われたと判定しなかった場合（ステップＳ３０３でＮＯ）には、ステップＳ３０４に移る。
【００４９】
ステップＳ３０４では、左右修正設定処理を終了する操作が行われた（つまり、左右修正終了）か否かを制御部８が判定する。左右修正設定処理を終了する操作が行われたか否かについては、Ｉ／Ｏ処理部６から制御部８に、左右修正スイッチがオンされたこと示す信号の入力が例えば３秒間の間において継続され続けた場合に肯定判定し、その信号が入力されていない場合には否定判定する構成とすればよい。そして、左右修正設定処理を終了する操作が行われたと判定した場合（ステップＳ３０４でＹＥＳ）には、ステップＳ１０２に戻ってフローを繰り返す。また、左右修正設定処理を終了する操作が行われたと判定しなかった場合（ステップＳ３０４でＮＯ）には、ステップ３０３に戻ってフローを繰り返す。
【００５０】
ステップＳ３０５では、左右画像補正値設定処理を行って、ステップＳ３０６に移る。左右画像補正値設定処理では、左右ずれ修正操作として左修正スイッチが操作された場合には、その操作量に応じたピクセル数だけ画像の左側を切り取るパラメータを画像補正値として制御部８が設定する。例えば、操作量に応じたピクセル数だけ画像の左側を切り取るパラメータとは、撮像画像の四隅のピクセル座標のうちの左上と左下の隅のピクセル座標の左右方向の座標値を操作量に応じたピクセル数だけ加算したピクセル座標を、画像の新たな左上と左下の隅のピクセル座標とするものである。なお、右上と右下の隅のピクセル座標については変更がないものとする。ここで、ピクセル座標は画像の左右方向（以下、ｘ軸方向）と上下方向（以下、ｙ軸方向）との２軸で表され、左上の隅のピクセル座標を（０，０）とするものとし、以降の説明でも同様とする。
【００５１】
また、右修正スイッチが操作された場合には、その操作量に応じたピクセル数だけ画像の右側を切り取るパラメータを画像補正値として制御部８が設定する。例えば、操作量に応じたピクセル数だけ画像の右側を切り取るパラメータとは、撮像画像の四隅のピクセル座標のうちの右上と右下の隅のピクセル座標の左右方向の座標値を操作量に応じたピクセル数だけ減算したピクセル座標を、新たな右上と右下の隅のピクセル座標とするものである。なお、左上と左下の隅のピクセル座標については変更がないものとする。
【００５２】
ここで言うところの操作量とは、例えば所定の時間（任意に設定可能とする）以下の間隔で連続して行われた左右修正スイッチの操作（例えば押す、触るなど）の回数であるものとする。
【００５３】
また、左右画像補正値設定処理では、切り取られるピクセル数だけ画像をリサイズするパラメータも画像補正値として制御部８が設定する。なお、リサイズについては周知の方法と同様にして行う構成とすればよい。例えば、切り取られるピクセル数だけ画像をリサイズするパラメータとは、切り取り後の画像の左上、右上、左下、右下の四隅のピクセル座標を表示器４の表示領域の左上、右上、左下、右下の四隅にそれぞれ対応させるようにアフィン変換する変換行列である。また、リサイズを行う場合には、周知の３次補間法などを用いてピクセルを補間する構成とすればよい。
【００５４】
ステップＳ３０６では、ステップＳ３０５で設定した画像補正値を制御部８が記憶部７に記憶し、ステップＳ３０７に移る。ステップＳ３０７では、設定済みの画像補正値を制御部８が記憶部７から読み出して画像処理部３に出力し、画像処理部３が撮像画像に対してその画像補正値に従った変換を含む画像処理を行い、ステップＳ３０８に移る。
【００５５】
ステップＳ３０８では、ステップＳ６と同様の処理を行い、前照灯が点灯されていると判定した場合（ステップＳ３０８でＹＥＳ）には、ステップＳ３０９に移る。また、前照灯が点灯されていると判定しなかった場合（ステップＳ３０８でＮＯ）には、画像処理部３での画像処理後の画像データを制御部８に出力し、制御部８がその画像データを表示器４に出力してステップＳ３１０に移る。
【００５６】
ステップＳ３０９では、ステップＳ７と同様の処理を行い、ステップＳ３１０に移る。そして、ステップＳ３１０では、制御部８から出力される画像データに従った画像を表示器４が表示し、ステップＳ３０１に戻ってフローを繰り返す。
【００５７】
ここで、図６および図７（ａ）〜図８（ｃ）を用いて、左右修正設定処理の一例を説明する。なお、図６は、カメラ１が規定の取り付け位置および取り付け角度に正確に取り付けられた場合の自車両後方周辺の画像の一例を示す模式図である。また、図７（ａ）〜図８（ｃ）は、左右修正設定処理の一例を説明するための模式図である。ここでは、図７（ａ）に示すように画像が図６に示す画像よりも左方向に偏っており、右方向への表示位置の修正が必要な場合を例に挙げて説明を行う。
【００５８】
まず、図７（ｂ）に示すように、左右修正設定画面が表示される。ここで、右向きの矢印で示す右修正スイッチを操作すると、その操作量に応じたピクセル数だけ画像の右側を切り取るパラメータおよび切り取られるピクセル数だけ画像をリサイズするパラメータを画像補正値として制御部８が設定する。なお、図７（ｃ）中の破線で示す領域が切り取った残りの画像の範囲を示している。
【００５９】
続いて、撮像画像に対して、設定した画像補正値に従った変換が行われ、上記操作量に応じたピクセル数だけ画像の右側が切り取られるとともに、切り取られたピクセル数だけリサイズされた画像が表示器４に表示される（図７（ｄ）参照）。このとき、センター十字キャラクター（図中のＦ参照）は、変換前の画像の中心に固定されているので、画像が右方向に引き伸ばされるのに伴って、変換前の画像の中心とともに右方向に移動する。これによれば、表示位置を左右方向にどの程度修正したかがユーザに判り易くなり、利便性が向上する。
【００６０】
ここで、画像の右方向への表示位置の修正がまだ必要な場合には、左右修正設定画面（図８（ａ）参照）でさらに右修正スイッチを操作することで、その操作量に応じたピクセル数だけさらに画像の右側を切り取るパラメータおよび切り取られるピクセル数だけ画像をリサイズするパラメータを新たな画像補正値として制御部８が設定する。なお、図８（ｂ）の破線で示す領域が切り取った残りの画像の範囲を示している。
【００６１】
そして、撮像画像に対して、設定した画像補正値に従った変換が行われ、積算された操作量に応じたピクセル数だけ画像の右側が切り取られるとともに、切り取られたピクセル数だけリサイズされた画像が表示器４に表示される（図８（ｃ）参照）。ここで、画像の左右方向への表示位置の修正が必要でなくなった場合には、左右修正スイッチを３秒間以上オンし続ける操作を行うことで左右修正設定処理を終了し、次の処理に移行することになる。
【００６２】
図３に戻って、ステップＳ１０４では、上下修正移行スイッチがオンされたか否かを制御部８が判定する。上下修正移行スイッチが操作されたか否かについては、Ｉ／Ｏ処理部６から制御部８に上下修正移行スイッチがオンされたことを示す信号が入力された場合に肯定判定し、その信号が入力されていない場合には否定判定する構成とすればよい。
【００６３】
そして、上下修正移行スイッチがオンされたと判定した場合（ステップＳ１０４でＹＥＳ）には、ステップＳ１０５に移る。また、上下修正移行スイッチがオンされたと判定しなかった場合（ステップＳ１０４でＮＯ）には、ステップＳ１０６に移る。
【００６４】
ステップＳ１０５では、上下修正設定処理を行い、ステップＳ１０４に戻ってフローを繰り返す。ここで、図９を用いて上下修正設定処理についての詳細な説明を行う。なお、図９は、上下修正設定処理のフローの一例を示すフローチャートである。
【００６５】
まず、ステップＳ５０１では、制御部８が上下修正設定画面を表示器４に表示させ、ステップＳ５０２に移る。上下修正設定画面は、図１０（ｂ）〜図１０（ｄ）に示すように、画像の上下方向（つまり、ピッチ方向）の表示位置を修正するためのタッチスイッチの表示（図中のＧ参照）を含んでいる。なお、以降では、上下方向の表示位置を修正するためのタッチスイッチを上下修正スイッチと呼ぶ。また、上下修正設定画面では、この上下修正スイッチの表示が図１０（ｂ）〜図１０（ｄ）に示すように自車両後方周辺の画像に重畳されるものとする。
【００６６】
この上下修正スイッチは、上方向に表示位置を修正するためのスイッチ（以下、上修正スイッチ）と下方向に表示位置を修正するためのスイッチ（以下、下修正スイッチ）とを含んでいる。また、それらのスイッチに対応するスイッチ表示は、例えば図１０（ｂ）〜図１０（ｄ）に示すような上向きの矢印および下向きの矢印とする。
【００６７】
ステップＳ５０２では、制御部８が、自車両後方周辺の画像の中央の位置に十字のマーク（以下、センター十字キャラクター）を重畳して表示器４に表示させ、ステップＳ５０３に移る。センター十字キャラクターは、例えば上下修正設定処理の開始前の自車両後方周辺の画像の中心に最初は表示されるものとし、図９のフローが終了するまでは、画像の表示位置の修正によってこの自車両後方周辺の画像の中心が画面中央から移動するのに伴って移動するものとする。
【００６８】
ステップＳ５０３では、表示画像の上下方向の表示位置を修正する操作（以下、上下ずれ修正操作）が行われたか否かを制御部８が判定する。上下ずれ修正操作が行われたか否かについては、Ｉ／Ｏ処理部６から制御部８に、上修正スイッチもしくは下修正スイッチがオンされたこと示す信号が入力されるとともに、その信号の入力が例えば３秒間の間において継続され続けなかった場合に肯定判定し、その信号が入力されていない場合や上記信号の入力が例えば３秒間の間において継続され続けた場合には否定判定する構成とすればよい。そして、上下ずれ修正操作が行われたと判定した場合（ステップＳ５０３でＹＥＳ）には、ステップＳ５０５に移る。また、上下ずれ修正操作が行われたと判定しなかった場合（ステップＳ５０３でＮＯ）には、ステップＳ５０４に移る。
【００６９】
ステップＳ５０４では、上下修正設定処理を終了する操作が行われた（つまり、上下修正終了）か否かを制御部８が判定する。上下修正設定処理を終了する操作が行われたか否かについては、Ｉ／Ｏ処理部６から制御部８に、上下修正スイッチがオンされたこと示す信号の入力が例えば３秒間の間において継続され続けた場合に肯定判定し、その信号が入力されていない場合には否定判定する構成とすればよい。そして、上下修正設定処理を終了する操作が行われたと判定した場合（ステップＳ５０４でＹＥＳ）には、ステップＳ１０４に戻ってフローを繰り返す。また、上下修正設定処理を終了する操作が行われたと判定しなかった場合（ステップＳ５０４でＮＯ）には、ステップ５０３に戻ってフローを繰り返す。
【００７０】
ステップＳ５０５では、上下画像補正値設定処理を行って、ステップＳ５０６に移る。上下画像補正値設定処理では、上下ずれ修正操作として上修正スイッチが操作された場合には、その操作量に応じたピクセル数だけ画像の上側を切り取るパラメータを画像補正値として制御部８が設定する。例えば、操作量に応じたピクセル数だけ画像の上側を切り取るパラメータとは、撮像画像の四隅のピクセル座標のうちの左上と右上の隅のピクセル座標のｘ軸方向の座標値を操作量に応じたピクセル数だけ加算したピクセル座標を、新たな左上と右上の隅のピクセル座標とするものである。なお、左下と右下の隅のピクセル座標については変更がないものとする。
【００７１】
また、下修正スイッチが操作された場合には、その操作量に応じたピクセル数だけ画像の下側を切り取るパラメータを画像補正値として制御部８が設定する。例えば、操作量に応じたピクセル数だけ画像の下側を切り取るパラメータとは、撮像画像の四隅のピクセル座標のうちの左下と右下の隅のピクセル座標の左右方向の座標値を操作量に応じたピクセル数だけ減算したピクセル座標を、画像の新たな左下と右下の隅のピクセル座標とするものである。なお、左上と右上の隅のピクセル座標については変更がないものとする。
【００７２】
ここで言うところの操作量とは、例えば所定の時間（任意に設定可能とする）以下の間隔で連続して行われた上下修正スイッチの操作（例えば押す、触るなど）の回数であるものとする。
【００７３】
また、上下画像補正値設定処理では、切り取られるピクセル数だけ画像をリサイズするパラメータも画像補正値として制御部８が設定する。なお、リサイズについては周知の方法と同様にして行う構成とすればよい。例えば、切り取られるピクセル数だけ画像をリサイズするパラメータとは、切り取り後の画像の左上、右上、左下、右下の四隅のピクセル座標を表示器４の表示領域の左上、右上、左下、右下の四隅にそれぞれ対応させるようにアフィン変換する変換行列である。また、リサイズを行う場合には、周知の３次補間法などを用いてピクセルを補間する構成とすればよい。
【００７４】
ステップＳ５０６では、ステップＳ５０５で設定した画像補正値を制御部８が記憶部７に記憶し、ステップＳ５０７に移る。ステップＳ５０７では、設定済みの画像補正値を制御部８が記憶部７から読み出して画像処理部３に出力し、画像処理部３が撮像画像に対してその画像補正値に従った変換を含む画像処理を行い、ステップＳ５０８に移る。
【００７５】
ステップＳ５０８では、ステップＳ６と同様の処理を行い、前照灯が点灯されていると判定した場合（ステップＳ５０８でＹＥＳ）には、ステップＳ５０９に移る。また、前照灯が点灯されていると判定しなかった場合（ステップＳ５０８でＮＯ）には、画像処理部３での画像処理後の画像データを制御部８に出力し、制御部８がその画像データを表示器４に出力してステップＳ５１０に移る。
【００７６】
ステップＳ５０９では、ステップＳ７と同様の処理を行い、ステップＳ５１０に移る。そして、ステップＳ５１０では、制御部８から出力される画像データに従った画像を表示器４が表示し、ステップＳ５０１に戻ってフローを繰り返す。
【００７７】
ここで、図１０（ａ）〜図１０（ｄ）を用いて、上下修正設定処理の一例を説明する。なお、図１０（ａ）〜図１０（ｄ）は、上下修正設定処理の一例を説明するための模式図である。ここでは、図１０（ａ）に示すように画像が図６に示す画像よりも下方向に偏っており、上方向への表示位置の修正が必要な場合を例に挙げて説明を行う。
【００７８】
まず、図１０（ｂ）に示すように、上下修正設定画面が表示される。ここで、上向きの矢印で示す上修正スイッチを操作すると、その操作量に応じたピクセル数だけ画像の上側を切り取るパラメータおよび切り取られるピクセル数だけ画像をリサイズするパラメータを画像補正値として制御部８が設定する。なお、図１０（ｃ）中の破線で示す領域が切り取った残りの画像の範囲を示している。
【００７９】
続いて、撮像画像に対して、設定した画像補正値に従った変換が行われ、上記操作量に応じたピクセル数だけ画像の上側が切り取られるとともに、切り取られたピクセル数だけリサイズされた画像が表示器４に表示される（図１０（ｄ）参照）。このとき、センター十字キャラクター（図中のＨ参照）は、変換前の画像の中心に固定されているので、画像が上方向に引き伸ばされるのに伴って、変換前の画像の中心とともに上方向に移動する。これによれば、表示位置を上下方向にどの程度修正したかがユーザに判り易くなり、利便性が向上する。
【００８０】
ここで、画像の上下方向への表示位置の修正が必要でなくなった場合には、上下修正スイッチを３秒間以上オンし続ける操作を行うことで上下修正設定処理を終了し、次の処理に移行することになる。
【００８１】
図３に戻って、ステップＳ１０６では、回転修正移行スイッチがオンされたか否かを制御部８が判定する。回転修正移行スイッチが操作されたか否かについては、Ｉ／Ｏ処理部６から制御部８に回転修正移行スイッチがオンされたことを示す信号が入力された場合に肯定判定し、その信号が入力されていない場合には否定判定する構成とすればよい。
【００８２】
そして、回転修正移行スイッチがオンされたと判定した場合（ステップＳ１０６でＹＥＳ）には、ステップＳ１０７に移る。また、回転修正移行スイッチがオンされたと判定しなかった場合（ステップＳ１０６でＮＯ）には、ステップＳ１０８に移る。
【００８３】
ステップＳ１０７では、回転修正設定処理を行い、ステップＳ１０６に戻ってフローを繰り返す。ここで、図１１を用いて回転修正設定処理についての詳細な説明を行う。なお、図１１は、回転修正設定処理のフローの一例を示すフローチャートである。
【００８４】
まず、ステップＳ７０１では、制御部８が回転修正設定画面を表示器４に表示させ、ステップＳ７０２に移る。回転修正設定画面は、図１２（ｂ）〜図１２（ｄ）に示すように、画像の回転方向（つまり、ロール方向）の表示位置を修正するためのタッチスイッチの表示（図中のＩ参照）を含んでいる。なお、以降では、回転方向の表示位置を修正するためのタッチスイッチを回転修正スイッチと呼ぶ。また、回転修正設定画面では、この回転修正スイッチの表示が図１２（ｂ）〜図１２（ｄ）に示すように自車両後方周辺の画像に重畳されるものとする。
【００８５】
この回転修正スイッチは、反時計回り方向に表示位置を修正するためのスイッチ（以下、反時計回り修正スイッチ）と時計回り方向に表示位置を修正するためのスイッチ（以下、時計回り修正スイッチ）とを含んでいる。また、それらのスイッチに対応するスイッチ表示は、例えば図１２（ｂ）〜図１２（ｄ）に示すような左カーブ矢印および右カーブ矢印とする。
【００８６】
ステップＳ７０２では、制御部８が、自車両後方周辺の画像の中央の位置に十字のマーク（以下、センター十字キャラクター）を重畳して表示器４に表示させ、ステップＳ７０３に移る。センター十字キャラクターは、例えば回転修正設定処理が開始したときの自車両後方周辺の画像の上下方向および左右方向に、十字を構成する各線が向くように表示されるものとし、図１１のフローが終了するまでは、表示位置の修正によってこの自車両後方周辺の画像が回転するのに伴って回転するものとする。
【００８７】
ステップＳ７０３では、表示画像の回転方向の表示位置を修正する操作（以下、回転ずれ修正操作）が行われたか否かを制御部８が判定する。回転ずれ修正操作が行われたか否かについては、Ｉ／Ｏ処理部６から制御部８に、時計回り修正スイッチもしくは反時計回り修正スイッチがオンされたこと示す信号が入力されるとともに、その信号の入力が例えば３秒間の間において継続され続けなかった場合に肯定判定し、その信号が入力されていない場合や上記信号の入力が例えば３秒間の間において継続され続けた場合には否定判定する構成とすればよい。そして、回転ずれ修正操作が行われたと判定した場合（ステップＳ７０３でＹＥＳ）には、ステップＳ７０５に移る。また、回転ずれ修正操作が行われたと判定しなかった場合（ステップＳ７０３でＮＯ）には、ステップＳ７０４に移る。
【００８８】
ステップＳ７０４では、回転修正設定処理を終了する操作が行われた（つまり、回転修正終了）か否かを制御部８が判定する。回転修正設定処理を終了する操作が行われたか否かについては、Ｉ／Ｏ処理部６から制御部８に、回転修正スイッチがオンされたこと示す信号の入力が例えば３秒間の間において継続され続けた場合に肯定判定し、その信号が入力されていない場合には否定判定する構成とすればよい。そして、回転修正設定処理を終了する操作が行われたと判定した場合（ステップＳ７０４でＹＥＳ）には、ステップＳ１０６に戻ってフローを繰り返す。また、回転修正設定処理を終了する操作が行われたと判定しなかった場合（ステップＳ７０４でＮＯ）には、ステップ７０３に戻ってフローを繰り返す。
【００８９】
ステップＳ７０５では、回転画像補正値設定処理を行って、ステップＳ７０６に移る。回転画像補正値設定処理では、回転ずれ修正操作として時計回り修正スイッチが操作された場合には、その操作量に応じた角度だけ画像を時計回りに回転させるパラメータ、および回転後の画像に４隅が内接するｙ軸方向およびｘ軸方向にそれぞれ平行な辺をもつ四角形を想定した場合のその四角形の外側に位置するピクセル数だけ画像の上下左右を切り取るパラメータを画像補正値として制御部８が設定する。
【００９０】
例えば、操作量に応じた角度だけ画像を時計回りに回転させるパラメータとは、撮像画像の４隅のピクセル座標を左上の隅のピクセル座標（０，０）を中心に操作量に応じた角度だけ時計回りに回転させるようにアフィン変換する変換行列である。そして、回転後の画像に４隅が内接するｙ軸方向およびｘ軸方向にそれぞれ平行な辺をもつ四角形を想定した場合のその四角形の外側に位置するピクセル数だけ画像の上下左右を切り取るパラメータとは、回転後の画像に４隅が内接するｙ軸方向およびｘ軸方向にそれぞれ平行な辺をもつ四角形を想定した場合のその四角形の４隅のピクセル座標を、画像の新たな４隅のピクセル座標とするものである。
【００９１】
なお、ここで言うところの回転後の画像に４隅が内接するｙ軸方向およびｘ軸方向にそれぞれ平行な辺をもつ四角形の４隅のピクセル座標は、例えば回転後の画像の四辺（回転前の画像の左辺、右辺、上辺、下辺に対応する辺であって、便宜上、左辺、右辺、上辺、下辺と呼ぶ）上のピクセルのうち、以下の条件を満たすピクセルの座標値を求めることによって得る構成とすればよい。
【００９２】
その条件を満たすピクセルとは、左辺上のピクセルのピクセル座標のｘ軸方向の座標値と下辺上のピクセルのピクセル座標のｘ軸方向の座標値とが同一、左辺上のピクセルのピクセル座標のｙ軸方向の座標値と上辺上のピクセルのピクセル座標のｙ軸方向の座標値とが同一、下辺上のピクセルのピクセル座標のｙ軸方向の座標値と右辺上のピクセル座標のｙ軸方向の座標値とが同一、上辺上のピクセルのピクセル座標のｘ軸方向の座標値と右辺上のピクセル座標のｘ軸方向の座標値とが同一という条件の全てを満たす上下左右の各辺上のピクセルである。
【００９３】
また、反時計回り修正スイッチが操作された場合には、その操作量に応じた角度だけ画像を反時計回りに回転させるパラメータ、および回転後の画像に内接する上下方向および左右方向にそれぞれ平行な辺をもつ四角形を想定した場合のその四角形の外側に位置するピクセル数だけ画像の上下左右を切り取るパラメータを画像補正値として制御部８が設定する。
【００９４】
例えば、操作量に応じた角度だけ画像を反時計回りに回転させるパラメータとは、撮像画像の４隅のピクセル座標を左上の隅のピクセル座標（０，０）を中心に操作量に応じた角度だけ反時計回りに回転させるようにアフィン変換する変換行列である。そして、回転後の画像に４隅が内接するｙ軸方向およびｘ軸方向にそれぞれ平行な辺をもつ四角形を想定した場合のその四角形の外側に位置するピクセル数だけ画像の上下左右を切り取るパラメータとは、回転後の画像に４隅が内接するｙ軸方向およびｘ軸方向にそれぞれ平行な辺をもつ四角形を想定した場合のその四角形の４隅のピクセル座標を、画像の新たな４隅のピクセル座標とするものである。
【００９５】
なお、ここで言うところの回転後の画像に４隅が内接するｙ軸方向およびｘ軸方向にそれぞれ平行な辺をもつ四角形の４隅のピクセル座標は、例えば回転後の画像の四辺（回転前の画像の左辺、右辺、上辺、下辺に対応する辺であって、便宜上、左辺、右辺、上辺、下辺と呼ぶ）上のピクセルのうち、以下の条件を満たすピクセルの座標値を求めることによって得る構成とすればよい。
【００９６】
その条件を満たすピクセルとは、左辺上のピクセルのピクセル座標のｘ軸方向の座標値と上辺上のピクセルのピクセル座標のｘ軸方向の座標値とが同一、左辺上のピクセルのピクセル座標のｙ軸方向の座標値と下辺上のピクセルのピクセル座標のｙ軸方向の座標値とが同一、上辺上のピクセルのピクセル座標のｙ軸方向の座標値と右辺上のピクセル座標のｙ軸方向の座標値とが同一、下辺上のピクセルのピクセル座標のｘ軸方向の座標値と右辺上のピクセル座標のｘ軸方向の座標値とが同一という条件の全てを満たす上下左右の各辺上のピクセルである。
【００９７】
なお、ここで言うところの操作量とは、例えば所定の時間（任意に設定可能とする）以下の間隔で連続して行われた回転修正スイッチの操作（例えば押す、触るなど）の回数であるものとする。
【００９８】
また、回転画像補正値設定処理では、切り取られるピクセル数だけ画像をリサイズするパラメータも画像補正値として制御部８が設定する。なお、リサイズについては周知の方法と同様にして行う構成とすればよい。詳しくは、切り取られるピクセル数だけ画像をリサイズするパラメータとは、切り取り後の画像の左上、右上、左下、右下の四隅のピクセル座標を表示器４の表示領域の左上、右上、左下、右下の四隅にそれぞれ対応させるようにアフィン変換する変換行列である。また、リサイズを行う場合には、周知の３次補間法などを用いてピクセルを補間する構成とすればよい。
【００９９】
ステップＳ７０６では、ステップＳ７０５で設定した画像補正値を制御部８が記憶部７に記憶し、ステップＳ７０７に移る。ステップＳ７０７では、設定済みの画像補正値を制御部８が記憶部７から読み出して画像処理部３に出力し、画像処理部３が撮像画像に対してその画像補正値に従った変換を含む画像処理を行い、ステップＳ７０８に移る。
【０１００】
ステップＳ７０８では、ステップＳ６と同様の処理を行い、前照灯が点灯されていると判定した場合（ステップＳ７０８でＹＥＳ）には、ステップＳ７０９に移る。また、前照灯が点灯されていると判定しなかった場合（ステップＳ７０８でＮＯ）には、画像処理部３での画像処理後の画像データを制御部８に出力し、制御部８がその画像データを表示器４に出力してステップＳ７１０に移る。
【０１０１】
ステップＳ７０９では、ステップＳ７と同様の処理を行い、ステップＳ７１０に移る。そして、ステップＳ７１０では、制御部８から出力される画像データに従った画像を表示器４が表示し、ステップＳ７０１に戻ってフローを繰り返す。
【０１０２】
ここで、図１２（ａ）〜図１２（ｄ）を用いて、回転修正設定処理の一例を説明する。なお、図１２（ａ）〜図１２（ｄ）は、回転修正設定処理の一例を説明するための模式図である。ここでは、図１２（ａ）に示すように画像が図６に示す画像よりも時計回り方向に傾いており、反時計回り方向への表示位置の修正が必要な場合を例に挙げて説明を行う。
【０１０３】
まず、図１２（ｂ）に示すように、回転修正設定画面が表示される。ここで、右カーブ矢印で示す反時計回り修正スイッチを操作すると、その操作量に応じた角度だけ画像を反時計回りに回転させるパラメータ、回転後の画像に内接する上下方向および左右方向にそれぞれ平行な辺をもつ四角形を想定した場合のその四角形の外側に位置するピクセル数だけ画像の上下左右を切り取るパラメータ、および切り取られるピクセル数だけ画像をリサイズするパラメータを画像補正値として制御部８が設定する。なお、図１２（ｃ）中の破線で示す領域が切り取った残りの画像の範囲を示している。
【０１０４】
続いて、撮像画像に対して、設定した画像補正値に従った変換が行われ、上記操作量に応じたピクセル数だけ画像の上下左右が切り取られるとともに、切り取られたピクセル数だけ上下方向および左右方向にリサイズされた画像が表示器４に表示される（図１２（ｄ）参照）。このとき、センター十字キャラクター（図中のＪ参照）の十字を構成する各線は、変換前の画像の上下方向および左右方向を向くように固定されているので、画像が回転されるのに伴って回転する。これによれば、表示位置を回転方向にどの程度修正したかがユーザに判り易くなり、利便性が向上する。
【０１０５】
ここで、画像の回転方向への表示位置の修正が必要でなくなった場合には、回転修正スイッチを３秒間以上オンし続ける操作を行うことで回転修正設定処理を終了し、次の処理に移行することになる。
【０１０６】
図３に戻って、ステップＳ１０８では、ＥＸＩＴスイッチがオンされたか否かを制御部８が判定する。ＥＸＩＴスイッチが操作されたか否かについては、Ｉ／Ｏ処理部６から制御部８にＥＸＩＴスイッチがオンされたことを示す信号が入力された場合に肯定判定し、その信号が入力されていない場合には否定判定する構成とすればよい。
【０１０７】
そして、ＥＸＩＴスイッチがオンされたと判定した場合（ステップＳ１０８でＹＥＳ）には、制御部８が画像ずれ修正設定画面の表示を終了させ、ステップＳ１に戻ってフローを繰り返す。なお、画像ずれ修正設定画面の表示を終了した後も、例えば自車両後方周辺の画像の表示を維持しておく構成とすればよい。また、ＥＸＩＴスイッチがオンされたと判定しなかった場合（ステップＳ１０８でＮＯ）には、ステップＳ１０２に戻ってフローを繰り返す。
【０１０８】
ここで、図１３〜図１６を用いて、画像補正値に従った実際の画像の変換の一例についての説明を行う。なお、図１３は、画像変換前の自車両後方周辺の画像の一例を示す図である。また、図１４は、左右画像補正値設定処理で設定された画像補正値に従った変換（つまり、左右補正）の一例を示す図である。さらに、図１５は、上下画像補正値設定処理で設定された画像補正値に従った変換（つまり、上下補正）の一例を示す図である。そして、図１６は、回転画像補正値設定処理で設定された画像補正値に従った変換（つまり、回転補正）の一例を示す図である。
【０１０９】
なお、ここでは、左右画像補正値設定処理で左方向への表示位置の修正が行われ、上下画像補正値設定処理で下方向への表示位置の修正が行われ、回転画像補正値設定処理で時計回り方向への表示位置の修正が行われた場合を例に挙げて説明を行う。
【０１１０】
本例における画像補正値に従った変換では、図１３に示すような画像変換前の撮像画像に対して、左右画像補正値設定処理で設定されたピクセル数だけ画像の左側が切り取られるとともに、切り取られたピクセル数だけ画像を引き伸ばすリサイズが行われ、左右補正が終了する（図１４参照）。
【０１１１】
続いて、左右補正が終了した画像に対して、上下画像補正値設定処理で設定されたピクセル数だけ画像の下側が切り取られるとともに、切り取られたピクセル数だけ画像を引き伸ばすリサイズが行われ、上下補正が終了する（図１５参照）。そして、上下補正が終了した画像に対して、回転画像補正値設定処理で設定された角度だけ時計回りに回転が行われるとともに、回転画像補正値設定処理で設定されたピクセル数だけ画像の上下左右が切り取られた後に、切り取られたピクセル数だけ画像を引き伸ばすリサイズが行われ、回転補正が終了する（図１６参照）。
【０１１２】
以上の構成によれば、ユーザが操作スイッチ群５を操作することによって、表示器４に表示される画像の画面上での位置を、画像の上下方向や左右方向や回転方向にユーザが所望するようにずらすことができる。従って、カメラ１の取り付け向きの違いによる画像のずれを抑えるだけでなく、当該カメラ１の取り付け位置の違いによる画像のずれをより小さく抑えることが可能になる。
【０１１３】
なお、前述の実施形態では、左右修正設定処理、上下修正設定処理、回転修正設定処理が続いているときに、自車両後方周辺の画像の中央の位置に十字のマークを重畳して表示器４に表示させる構成を示したが、必ずしもこれに限らず、画像の変換の度合いを確認するための指標となるマークであれば十字のマーク以外のマークであってもよい。
【０１１４】
また、前述の実施形態では、操作スイッチ群５で受け付けた修正方向および修正量に応じた分だけカメラ１で撮像した撮像範囲の画像を切り取り、且つ、切り取った残りの範囲の画像をリサイズする画像補正値を設定する構成を示したが、必ずしもこれに限らない。例えば、カメラ１で撮像した撮像範囲の画像のうちの一部の範囲を、表示器４での表示用に切り出して表示器４に表示させるものとし、操作スイッチ群５で受け付けた修正方向および修正量に応じた分だけカメラ１で撮像した撮像範囲の画像のうちから表示用に切り出す位置を移動させる画像補正値を設定する構成としてよい
この場合には、左右修正スイッチや上下修正スイッチや回転修正スイッチの操作量に応じたピクセル数だけ画像の切り出し位置を左右に移動させたり、上下に移動させたり、回転させたりするパラメータを画像補正値として制御部８が設定することになる。そして、画像補正値に従って画像を変換する場合には、変換前の表示用の切り出し位置の例えば４隅のピクセル座標を画像補正値としての上記パラメータに従って変換することによって、切り出し位置を変更する構成とすればよい。なお、切り出し後の画像を表示させる場合には、切り出し後の画像の４隅のピクセルが表示器４の表示領域の４隅に対応するようにして表示させる構成とすればよい。
【０１１５】
これによれば、カメラ１で撮像した撮像範囲の画像のうちから表示用に切り出す位置を移動させることによって画像のずれの修正を行うので、ユーザにあたかもカメラ１の撮像位置自体が修正されたかのように感じさせることができる。
【０１１６】
また、前述の実施形態では、カメラ１で撮像した自車両後方周辺の画像を表示する構成に本発明を適用する構成を示したが、必ずしもこれに限らない。例えば、自車両前方周辺や自車両側方周辺など、他の自車両周辺の画像を表示する構成に本発明を適用する構成としてもよい。
【０１１７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１８】
１  カメラ（車載カメラ）、２  Ａ／Ｄ変換部、３  画像処理部、４  表示器、５  操作スイッチ群（修正指定受け付け手段）、６  Ｉ／Ｏ処理部、７  記憶部、８  制御部（表示制御手段、補正値設定手段、信号受け付け手段、明るさ補正手段）、１００  車両周辺監視装置
【図１】
0005488338.tif 000002
【図２】
0005488338.tif 000003
【図３】
0005488338.tif 000004
【図４】
0005488338.tif 000005
【図５】
0005488338.tif 000006
【図６】
0005488338.tif 000007
【図７】
0005488338.tif 000008
【図８】
0005488338.tif 000009
【図９】
0005488338.tif 000010
【図１０】
0005488338.tif 000011
【図１１】
0005488338.tif 000012
【図１２】
0005488338.tif 000013
【図１３】
0005488338.tif 000014
【図１４】
0005488338.tif 000015
【図１５】
0005488338.tif 000016
【図１６】
0005488338.tif 000017